(57)【要約】【課題】内蔵した表示発光源を光らせることにより光伝搬部材の先端を光らせる光電センサにおいて、表示用発光源を使った表示の適用例を拡大する。【解決手段】発光素子に光結合される投光用光伝搬部材が接続される投光用接続部と、受光素子に光結合される受光用光伝搬部材が接続される受光用接続部と、受光素子で生成された受光信号としきい値とを比較して比較結果を示す検出信号を生成する信号生成部と、受光用接続部又は投光用接続部の少なくとも一方に光結合され且つ可視光を発する光表示発光素子と、受光信号に基づき受光素子の受光状態に対応して光表示発光素子を点灯させ、外部からの指示に基づいて前記光表示発光素子を点灯させる制御部と、を有する。【選択図】図１
2018170158.tif 000002
【特許請求の範囲】
【請求項１】
検出光を検出領域に向けて投光する発光素子と、
前記検出領域からの検出光を受光する受光素子と、
前記発光素子に光結合される投光用光伝搬部材が接続される投光用接続部と、
前記受光素子に光結合される受光用光伝搬部材が接続される受光用接続部と、
前記受光素子で生成された受光信号としきい値とを比較して比較結果を示す検出信号を生成する信号生成部と、
前記受光用接続部又は前記投光用接続部の少なくとも一方に光結合され且つ可視光を発する光表示発光素子と、
前記受光信号に基づき前記受光素子の受光状態に対応して前記光表示発光素子を点灯させ、外部からの指示に基づいて前記光表示発光素子を点灯させる制御部と、を有すること特徴とする光電センサ。
【請求項２】
前記外部からの指示が、ユーザの入力に基づく指示である、請求項１に記載の光電センサ。
【請求項３】
前記ユーザの入力に基づく指示が、当該光電センサに設けられたボタンを介した入力である、請求項２に記載の光電センサ。
【請求項４】
前記外部からの指示が、IO端子からの入力、他の光電センサや通信ユニットを介しての入力のいずれかである、請求項１に記載の光電センサ。
【請求項５】
前記受光信号に基づき前記受光素子の受光状態に対応した点灯と、外部からの指示に基づいた点灯とが、表示光の表示態様において異なる、請求項１に記載の光電センサ。
【請求項６】
前記表示光の表示態様の違いが、表示色の違い、表示点滅の回数、表示点滅の周期、表示の強弱の周期、複数の表示色の切り替え周期のいずれかである、請求項５に記載の光電センサ。
【請求項７】
前記光電センサは表示部を有し、
該表示部に所定の表示を行うと共に、前記光表示発光素子を光らせる、請求項１〜６のいずれか一項に記載の光電センサ。
【請求項８】
前記受光量の量に応じて、これに対応した点灯又は点滅状態で前記光表示発光素子を光らせる、請求項１〜７のいずれか一項に記載の光電センサ。
【請求項９】
前記光電センサが、出力状態を外部に表示ための表示灯を更に有し、
前記光表示発光素子が、前記光電センサの前記表示灯と連動している、請求項１〜８のいずれか一項に記載の光電センサ。
【請求項１０】
前記光電センサに接続された他の機器が表示器を有し、
前記光表示発光素子が、前記他の機器が表示器と連動している、請求項１〜８のいずれか一項に記載の光電センサ。
【請求項１１】
前記受光素子への受光量によらず、前記光表示発光素子を所定の状態に維持するスイッチを更に有する、請求項１に記載の光電センサ。
【請求項１２】
前記受光素子への受光量に基づいて前記光表示発光素子の点灯状態を変化させる第1のモードと、前記受光素子への受光量によらず、前記光表示発光素子の点灯状態を維持する第２のモードとのモード切り替えが可能である、請求項１に記載の光電センサ。
【請求項１３】
投光と受光の光軸合わせが終了した後に、前記第１のモードから前記第２のモードに変更可能である、請求項１２に記載の光電センサ。
【請求項１４】
前記第２のモードでの光表示発光素子での点灯が、外部からの指示に基づいて前記光表示発光素子での点灯又は前記光電センサ内部の前記受光素子以外の素子の状態に基づき点灯される、請求項１２に記載の光電センサ。
【請求項１５】
前記光表示発光素子が、前記コントローラ内部に異常が発生したときに点灯する、請求項１〜１４のいずれか一項に記載の光電センサ。
【発明の詳細な説明】
【技術分野】
【０００１】
本発明は光電センサに関し、より詳しくは、光ファイバのような光伝搬部材を通じてコントローラに光連結された投受光部を備えた分離型の光電センサに関する。
【背景技術】
【０００２】
特許文献１は、光伝搬部材つまり光ファイバの先端部で動作状態を確認できる反射型の光電センサを開示している。この光電センサは、投光用光ファイバの端に光結合された検出用投光素子（LED）と、受光用光ファイバの端に光結合された受光素子（フォトダイオード）とを有する分離型の光電センサである。投光用光ファイバの周囲には、複数の動作表示用光ファイバが配置されている。そして、この複数の動作表示用光ファイバの端に光結合された第１の複数の動作表示用LED及び第１の複数の安定動作表示用LEDを更に有し、同様に、受光用光ファイバの周囲には、複数の動作表示用光ファイバの端に光結合された第２の複数の動作表示用LED及び第２の複数の安定動作表示用LEDを更に有している。
【０００３】
通常の動作の時には、投光素子（LED）からの検出光が投光用光ファイバにより投光される。物体により、この光が反射されると、この反射光が受光用光ファイバを通じて受光素子に検知される。
【０００４】
受光が安定しているときには、つまり、しきい値レベルよりも高いしきい値レベルを有する比較回路によって、安定して物体を検出している状態では、第１、第２の安定動作表示用LEDが点灯され、この状態を光ファイバの先端で確認することができる。また、物体を検知した時は、第１、第２の動作表示用LEDが点灯され、検知を光ファイバの先端で確認することができる。
【０００５】
特許文献２は、分離型光電センサの本体つまりコントローラは、動作表示灯及び安定動作表示灯を備えていることを前提として、生産ラインに光電センサを設置する際の光学系の位置合わせ、つまり投光用光ファイバと受光用光ファイバとの相対的な位置決め、つまり光軸合わせを簡便化することを目的とした光電センサを提案している。
【０００６】
特許文献２の光電センサは、投光用ＬＥＤ（赤色）と表示用ＬＥＤ（緑色）が横隣りに配置され、これらは共通の投光用光ファイバ（検出光学系）と光結合されている。検出動作時には、投光用ＬＥＤ（赤色）と表示用ＬＥＤ（緑色）が共に点灯される。投光用光ファイバの先端から赤と緑とが混色したオレンジ色の光が出射される。物体を検出し、その検出値が安定したときには安定動作表示灯が点灯されると共に、表示用ＬＥＤ（緑色）が消灯される。これにより、投光用光ファイバの先端の色がオレンジ色から赤色に変化する。この色の変化により、光電センサの安定動作状態を確認できる。
【０００７】
また、光電センサの投光用光ファイバ及び受光用光ファイバを位置合わせにおいても、投光用光ファイバの先端の色の変化を確認しながら位置調整することで、光電センサが安定動作状態となるように投光用光ファイバと受光用光ファイバとを正確に位置決めすることができる。
【０００８】
すなわち、投受光用の光ファイバの相対的な位置決めは、コントローラの動作表示灯及び安定動作表示灯を確認しながら行われる。したがって、投受光用の光ファイバの相対的な位置決め作業つまり光軸合わせの作業がコントローラから遠く離れた場所で行われる場合には、投受光用の光ファイバの相対的な位置決めが実質的に困難になる。この問題を解消するために、特許文献２は、コントローラにおいて、投光用LEDの隣に表示用LEDを並置することを提案している。これによれば、投光用LEDと光結合した光ファイバを使って表示用LEDの光を当該光ファイバの先端まで誘導することができる。特許文献２は、また、物体を検出するときには、投光用LED（赤）と表示用LED（緑）とを共に点灯させ、そして物体の検出が安定したときには安定動作表示灯を点灯すると共に表示用LEDを消灯させることを提案している。これにより、投光用光ファイバの先端からの光の色をオレンジ色から赤色に変化する。この色の変化によって、コントローラの安定動作表示灯を確認しなくても、光電センサの安定動作状態を確認できる。
【０００９】
特許文献３は、単一の検出ヘッドとコントローラとを有し、コントローラと検出ヘッドとを光ファイバで連結した分離型光電センサを開示している。この光電センサは、揮発性の液体を貯留したタンク周りの漏液の検出に適用される。検出ヘッドは検出面を有し、この検出面に向けて投光する。漏液によって検出面が濡れると、光は検出面を突き抜けてしまい、これを受光することができなくなる。このため受光量が減る。これによりタンクの液漏れを検出することができる。検出ヘッド内において、検出面に向けて光を誘導するその途中で光の一部を上方に分岐させる光分岐部を有し、この分岐した光を検出ヘッドの上方から視認可能にする表示部を有する。
【００１０】
コントローラは、投光素子として赤色光源と黄色光源とを有し、これらは互いに直交する関係で配置され、そしてハーフミラーが介装されている。例えば、通常の動作時には赤色光源を使用し、漏液を検出したときには赤色光源から黄色光源に切り替える。これにより、正常時には表示部を通じて赤色を視認し、漏液時には表示部を通じて黄色を視認することができる。変形例として、正常時には赤色と黄色の２つの光源を一緒に点灯して表示部を通じてオレンジ色を視認させるようにしてもよい。更に変形例として、センサの取付不良、電気回路の故障、受光素子の劣化、光ファイバの折損などの異常を検出したとき、この異常検出動作時に投光素子としての発光態様を変化させることを提案している。
【先行技術文献】
【特許文献】
【００１１】
【特許文献１】実用新案出願公開平１−７７２３４号公報
【特許文献２】特開平６−８５６４４号公報
【特許文献３】特開２００２−７１５５３号公報
【発明の概要】
【発明が解決しようとする課題】
【００１２】
図２７は、分離型光電センサにおける投光部と受光部との間の相対的な位置決め、つまり投光ヘッド１００と受光ヘッド２００との光軸合わせを説明する図である。t0ないしt6は時間の経過を示す。投光ヘッド１００と受光ヘッド２００とを動かしながら両者の相対的な位置決めを行う。この図２７の例では、t3のとき、光軸合わせが上手く行ったときであり、受光量が最大値となっている。
【００１３】
受光量の最大値からＸ％（例えば１０％）の範囲を光軸が合った受光量として設定し、そして受光量の最大値からＸ％低い受光量をしきい値として設定する。このしきい値よりも受光量が多い領域では、光軸が合致したときの受光量となる。そして、次に光軸調整するとき、つまり投光ヘッド１００と受光ヘッド２００との相対的な位置決めを行うときには、当該しきい値を用いて光軸調整が行われる。
【００１４】
特許文献２でも明記している通り、投光ヘッド１００、受光ヘッド２００とコントローラとが離れている場合、コントローラの表示を確認できないため、投光ヘッド１００と受光ヘッド２００との光軸調整が難しいという問題を有している。
【００１５】
図２７を再び参照して、光軸が合ったとき、例えばt3のときに例えば受光ヘッド２００が光ると、この光を目視することで光軸が合ったことを知ることができる。図２７に、受光ヘッド２００が光っている様子を星印で図示してある。すなわち、光軸調整の際に、コントローラの表示をいちいち確認しなくてもよい。換言すれば、コントローラの他に、受光ヘッド２００を光らせることにより、この受光ヘッド２００も実質的な表示手段を備えることになる。同じことは投光ヘッド１００についても言える。例えば、投光ヘッド１００と受光ヘッド２００が共に光ることにより、投光ヘッド１００と受光ヘッド２００の対を目視で確認できる。このことは、複数の対の投光ヘッド１００と受光ヘッド２００とを並べて設置するときに、とても効果的である。
【００１６】
本発明の目的は、光伝搬部材を通じて連結された投光部及び受光部をコントローラが備えた分離型の光電センサを前提として、前記光伝搬部材と光結合された表示発光源をコントローラが内蔵し、この表示発光源を光らせることにより前記光伝搬部材の先端を光らせる光電センサにおいて、表示用発光源を使った表示の適用例を拡大した光電センサを提供することにある。
【課題を解決するための手段】
【００１７】
上記の技術的課題は、本発明によれば、
検出光を検出領域に向けて投光する発光素子と、
前記検出領域からの検出光を受光する受光素子と、
前記発光素子に光結合される投光用光伝搬部材が接続される投光用接続部と、
前記受光素子に光結合される受光用光伝搬部材が接続される受光用接続部と、
前記受光素子で生成された受光信号としきい値とを比較して比較結果を示す検出信号を生成する信号生成部と、
前記受光用接続部又は前記投光用接続部の少なくとも一方に光結合され且つ可視光を発する光表示発光素子と、
前記受光信号に基づき前記受光素子の受光状態に対応して前記光表示発光素子を点灯させ、外部からの指示に基づいて前記光表示発光素子を点灯させる制御部と、を有すること特徴とする光電センサを提供することにより達成される。
【００１８】
従来の提案は、光電センサの検出に直接的に関係する状態を知るために、検出ヘッドを光らせることに止まっている。すなわち、検出が正常であるか異常であるか、検出異常を生じさせる故障、受光素子の劣化、光ファイバの折損の有無や、検出異常を誘発するセンサの取付不良を知るために、検出ヘッドを光らせることに止まっている。本発明は、これに止まらず、少なくとも受光用光伝搬部材を第２の表示部として活用して、光電センサが有する種々の機能に関係する事項を表示するために受光用光伝搬部材を光らせることを特徴とする。ここに、外部からの指示とは、ユーザの入力に基づく指示、IO端子からの入力、他の光電センサや通信ユニットを通じた指示、光電センサに設けられたボタンを介したユーザからの入力を含む。
【００１９】
以下に、本発明の好ましい実施例を詳しく説明する。この詳細な説明により、本発明の作用効果、他の目的、例えばコントローラに内蔵された表示発光源を有し、この表示用発光源を使った表示の適用例を拡大しつつ、光電センサの大型化を招くことない光電センサの提供や、受光性能を低下させることなく、受光側の光伝搬部材の先端を十分な光量で光らせることのできる光電センサの提供が明らかになるであろう。
【図面の簡単な説明】
【００２０】
【図１】実施例の光電センサの機能ブロック図である。
【図２】光電スイッチの調整機能を実現する構成のブロック図である。
【図３】分離型の光電スイッチの複数のコントローラを横並びに配列した状態を示す斜視図である。
【図４】図３に示す複数の分離型光電スイッチの互いに並んで配置したコントローラの平面図である。
【図５】投光ヘッドと受光ヘッドとの間に検出領域が生成されることを説明するための図である。
【図６】第１適用例に含まれる投光部、受光部及びこれらに関連した構造を説明するためのコントローラの縦断面斜視図である。
【図７】第１適用例に含まれる投光部、受光部及びこれらに関連した構造を説明するためのコントローラの縦断面図である。
【図８】図６、図７に関連して投光側光ファイバを受け入れる穴と投光側空間との関係を説明するための図である。
【図９】図６、図７に関連して受光側光ファイバを受け入れる穴と受光側空間との関係を説明するための図である。
【図１０】第２適用例に含まれる受光部材及び投光部材の構造を説明するための図である。
【図１１】第３適用例に含まれる受光部材を説明するための図である。
【図１２】第４適用例に含まれる受光部材を説明するための図である。
【図１３】第５適用例に含まれる受光部材を説明するための図である。
【図１４】第６適用例に含まれる受光部材を説明するための図である。
【図１５】第７適用例に含まれる受光部材を説明するための図である。
【図１６】第８適用例に含まれる受光部材を説明するための図である。
【図１７】第９適用例に含まれる受光部材を説明するための図である。
【図１８】第１０適用例に含まれる受光部材を説明するための図である。
【図１９】第１１適用例に含まれる受光部材を説明するための図である。
【図２０】第１２適用例に含まれる受光部材を説明するための図である。
【図２１】第１３適用例に含まれる受光部材を説明するための図である。
【図２２】図２１に対応した平面図である。
【図２３】図１４は、投光ヘッドの検出光と光表示発光素子の表示光とを区別可能にするために発光タイミングを異ならせる例を説明するための図である。
【図２４】投光ヘッドの検出光と光表示発光素子の表示光とを区別可能にするために発光周波数的に分離する方法を説明するための図である。
【図２５】チューニング中に投光ヘッド及び／又は受光ヘッドの表示光を光らせる制御の一例を説明するためのフローチャートである。
【図２６】ペアリング操作中に投光ヘッド及び／又は受光ヘッドの表示光を光らせる制御の一例を説明するためのフローチャートである。
【図２７】投光ヘッドと受光ヘッドとの光軸調整を説明するための図である。
【発明を実施するための形態】
【実施例】
【００２１】
以下に、添付の図面に基づいて本発明の好ましい実施例として、透過型の光電センサに基づいて説明するが、本発明はこれに限定されず、反射型の光電センサにも好適に適用可能である。
【００２２】
図１〜図５は実施例の分離型光電センサに関し、より詳しくは透過型の光電センサに関する図である。すなわち、図示の透過型光電センサ１は、投光ヘッド１００及び受光ヘッド２００(図５)が接続されるコントローラ３００（図３）を有する分離型の光電センサである。すなわち、透過型光電センサ１は、投光ヘッド１００と受光ヘッド２００とコントローラ３００とが物理的に分離しており、投光ヘッド１００と受光ヘッド２００は、光伝搬部材である光ファイバFb（図３）を介してコントローラ３００に接続される。
【００２３】
図１は、コントローラ３００のブロック図である。この図１を参照して、コントローラ３００の基本構成を説明する。
【００２４】
光電センサ１の基本構成：
光電センサ１は、コントローラ３００（図３）と、このコントローラ３００に、典型的な光伝搬部材である光ファイバFbで接続された投光ヘッド１００（図５）と、コントローラ３００に、典型的な光伝搬部材である光ファイバFbで接続された受光ヘッド２００（図５）とを含んでいる。
【００２５】
図１を参照して、コントローラ３００は投光部１０２と受光部２０２とを備えている。投光部１０２は所定のパルス光を投光ヘッド１００に出力する。投光部１０２の発光素子１０４は、投光電源制御回路３０２から供給される発振パルスによって駆動されて、パルス光を発する。受光部２０２が受光した光は受光素子２０４で光電変換され、受光素子増幅回路２０６、コントローラ３００の増幅回路３０４、Ａ／Ｄ変換器３０６を経て制御部３０８に送られる。これによって、パルス光に同期した検波が施され、検波信号は更に直流信号等に変換された後、インタフェース部を構成するＩ／Ｏ回路３６０から、検出結果を表わすＯＮ／ＯＦＦ信号として出力される。
【００２６】
コントローラ３００は投光部１０２として投光用の発光素子１０４及びこの発光素子１０４を駆動するための投光回路１０６を備える。発光素子１０４の典型例はLEDである。投光回路１０６は、投光ＡＰＣ回路１０８と、モニタＰＤ等のモニタ用受光素子１１０を備える。投光ＡＰＣ回路１０８は発光素子１０４の出力、つまり発光量が所定値となるよう制御する。
【００２７】
投光部１０２のモニタ用受光素子１１０はモニタ信号増幅回路１１４に接続されており、モニタラインを介してＬEＤ発光量モニタ回路３１２に受光量を送出する。LED発光量モニタ回路３１２は、Ａ／Ｄ変換器３１４を介してデジタル信号に変換した受光量信号を制御部３０８に供給する。制御部３０８は、モニタ用受光素子１１０が検出した発光量に基づいて、発光量が所定値となるように投光電源制御回路３０２を制御し、投光ＡＰＣ回路１０８の電流量を調整して発光素子１０４を駆動するフィードバック制御を行う。
【００２８】
コントローラ３００は受光素子２０４を駆動するための受光回路２０８を備える受光素子２０４は受光素子増幅回路２０６に接続されており、前述したように、受光素子２０４で受光した受光量は受光素子増幅回路２０６で増幅されて、増幅回路３０４に送出される。コントローラ増幅回路３０４で増幅されたアナログ信号は、Ａ／Ｄ変換器３０６を介してデジタル信号に変換され、制御部３０８に入力される。これにより受光素子（フォトダイオードＰＤ）２０４の受光量を検出し、そして所定のしきい値に基づいて検出の判定を行い、その比較結果を示す検出信号を生成して、最終的にＩ／Ｏ回路３６０から判定結果を出力する。
【００２９】
制御部３０８には、各種設定値などを記憶するための記憶部３２６、コントローラ３００側の情報を表示するための表示回路３２８、設定値調整を受け付けるためのユーザインタフェースである操作部３６２（図２）を接続したスイッチ入力回路３３０、外部との入出力を行うＩ／Ｏ回路３６０などが接続されており、これら回路はコントローラ電源回路３３２によって駆動される。
【００３０】
なお，制御部３０８は，例えば，CPU, FPGA，ASICなどのICから構成される。各種回路（１０８、１１４、２０６、２１４、３０２、３０４、３０６、３１２、３１４、３２０、３２８、３３０、３３２、３６０）は，それぞれがICから構成されていてもよいし，各種回路で1つのICで構成されていてもよいし，制御部と各種回路とが1つのICで構成されていてもよい。
【００３１】
次に、光電センサ１の調整機能を実現する構成を図２に示すブロック図に基づいて説明する。コントローラ３００は、前述した各種制御を行うための制御部３０８及び設定値などを記憶するための記憶部３２６と、しきい値や検出値、目標値などを表示するための表示部３３４と、各種操作や設定を行うための操作部３６２と、表示部３３４における表示モードを切り替えるための表示切替部３５８と、検出結果を出力するための出力部３６０と、受光部２０２で受光した受光量のアナログ信号をデジタル信号に変換するためのＡ／Ｄ変換器３０６とを備える。また制御部３０８は、表示用変換率調整部３３６と、しきい値調整部３３８と、判定部３４０と、検出値を保持する検出値保持部３４２と、しきい値を保持するしきい値保持部３４４とを含む。さらに記憶部３２６は、しきい値記憶部３４６と、表示用基準目標値記憶部３４８と、表示用基準検出値記憶部３５０と、表示用変換率記憶部３５２が含まれる。制御部３０８はＣＰＵ等のマイクロプロセッサで構成されている。コントローラ３００の操作部３６２は、表示用基準目標値設定部３５４と、基準検出値取得部３５６とを含む。
【００３２】
図１、図５を参照して、光電センサ１は、投光部１０２で発した検出光を光ファイバFbを介して投光ヘッド１００に供給する。投光ヘッド１００は検出領域に向けて光を出射する。検出領域からの光を受光ヘッド２００を介して受け取り、この光は光ファイバFbを介して受光部２０２に供給される。受光部２０２で受光した受光量を検出値として判定部３４０（図２）がしきい値と比較し、その判定結果を出力部３６０より出力する。具体的には、判定部３４０（図２）は、入力された検出値のデジタル値をしきい値と比較して、その結果を検出対象物の有無を示す二値信号として出力部３６０から外部機器へ出力する。
【００３３】
図３はコントローラ３００を斜め上方から見た斜視図であり、図３には、ＤＩＮレール２に４つのコントローラ３００を互いに隣り合わせに設置した例が図示されており、そのうちの１台のコントローラ３００が上蓋４を開いた状態で図示されている。
【００３４】
ＤＩＮレール２に隣接して設置された複数のコントローラ３００は、その１つが親機であり、他が子機である。例えば親機の投光が終わると、親機から第１の子機に投光開始の信号が供給され、第１の子機の投光が実行される。この第１の子機の投光が終わると、第１の子機から第２の子機に投光開始の信号が供給され、第２の子機の投光が実行される。以下、第３、第４の子機の投光が順次開始される。
【００３５】
図４は光電センサ１の平面図である。図３及び図４を参照して、表示部３３４は、横並びに配置した２つの４桁７セグメントディスプレイＤ１、Ｄ２で構成され、この２つの４桁７セグメントディスプレイＤ１、Ｄ２を使って検出値（受光量）やしきい値等が表示される。表示部３３４を液晶ディスプレイなどの平面ディスプレイで構成してもよい。
【００３６】
ディスプレイＤ１、Ｄ２に隣接して、スイング式のアップダウンボタン６、モードボタン８、セットボタン１０、プリセットボタン１２等が配設されている。
【００３７】
図４を引き続き参照して、参照符号１４はチャンネル切り替えスイッチを示す。このコントローラ３００は出力に関し２つのチャンネルを有している。参照符号１６は、現在の出力又は検出状態を表示するための動作表示灯を示し、参照符号１６(1)は第１チャンネルの動作表示灯を示し、参照符号１６(2)は第２チャンネルの動作表示灯を示す。第１、第２の動作表示灯１６(1)、１６(2)は、コントローラ３００からの出力（検出）状態を外部に表示するものである。
【００３８】
図２に戻って、コントローラ３００は表示切替部３５８を有し、この表示切替部３５８は上記のモードボタン（Mボタン）８やプリセットボタン１２で構成される。プリセットボタン１２はプリセット設定時や各種の設定に用いられる。例えば、モードボタン８やプリセットボタン１２を操作することにより、検出値(受光量)及びしきい値をそのまま表示する無変換表示モードと、表示用変換率又は表示用変換式で変換した表示用検出値(表示用受光量)及び表示用しきい値を表示する変換表示モードとを切り替えることができる。
【００３９】
セットボタン１０は、感度設定などのときに用いられる。感度調整とは設定値を調整することを意味している。例えば、セットボタン１０とアップダウンボタン６とを操作してしきい値を調整することができる。アップダウンボタン６は、また、しきい値その他の数値の変更、選択肢の決定などに使用される。コントローラ３００の表示対象、表示態様、表示示切替え操作、表示モード切替えに関してＪＰ特開２００６−３５１３８０号明細書に詳しく記載されていることから、このＪＰ特開２００６−３５１３８０号明細書を援用することにより、その説明を省略する。
【００４０】
以上、透過型光電センサ１について説明したが、反射型の光電センサの構造も実質的に同じであり、本発明は透過型に限定されず、反射型の光電センサにも適用可能である。本発明は、投光ヘッド１００及び受光ヘッド２００とコントローラ３００とを光伝搬部材である光ファイバFbで接続するファイバ型の光電センサに好適に適用されるのは前述した通りである。
【００４１】
図５を参照して、受光ヘッド２００は、投光ヘッド１００からの光を受ける受光筒２００aを有する。投光ヘッド１００は、検出光を出射する投光筒１００aを有し、検出光を検出領域に向けて投光する。受光ヘッド２００は検出領域からの光を受け取る。投光ヘッド１００と受光ヘッド２００の設定において、その相対的な位置決めは光電センサ１の性能を左右する。位置決めは、投光筒１００aと受光ヘッド２００の受光筒２００aとを対面させ、そして、投光筒１００aの軸線と受光筒２００aの軸線とを整合させることにより行われる。投光ヘッド１００と受光ヘッド２００とを適正に設置することにより、受光ヘッド２００と投光ヘッド１００との間をワークＷが通過することに伴う遮光の有無によってワークＷの「有り」、「無し」を適正に検出することができる。
【００４２】
表示発光機構：
図１を参照して、受光部２０２は、可視光の発光源としての光表示発光素子２１２を含んでいる。光表示発光素子２１２は典型的にはLEDで構成される。例えば、発光素子１０４が赤色LEDで構成されているときには、緑色のLEDで光表示発光素子２１２を構成するのがよい。光表示発光素子２１２は、表示発光制御回路２１４によって点灯が制御され、この表示発光制御回路２１４は表示発光電源制御回路３４０によって駆動電力の供給を受ける。
【００４３】
光表示発光素子２１２の点灯機能を例えば強制的に停止させるスイッチを設けてもよい。このスイッチをOFFすることで、光表示発光素子２１２の点灯制御が停止される。勿論、このスイッチをONすることで、光表示発光素子２１２の点灯制御が実行される。勿論、このスイッチによって、光表示発光素子２１２の点灯状態を、例えば、消灯状態に維持する、所定の周波数の点灯状態に維持する等、コントローラ３００の検出動作（受光量）とは無関係の状態を継続するようにしてもよい。
【００４４】
検出に伴う受光量に基づいて光表示発光素子２１２の点灯状態を変化させる第１モードと、受光量によらず、光表示発光素子２１２の点灯状態を維持させる第２モードとを用意し、例えばモードボタン（Mボタン）８とプリセットボタン１２の共押しによって第１、第２のモード切り替えできるようにしてもよい。このモード切り替えは、光軸合わせの終了の後に、第１モードから第２モードへの切り替えが可能であるのがよい。
【００４５】
上記第２のモードでの光表示発光素子２１２の点灯に関し、(1)外部からの指示に基づいて前記光表示発光素子での点灯、または、(2)コントローラ３００内部の受光素子２０４以外の素子の状態に基づいて光表示発光素子２１２が点灯されるのがよい。
【００４６】
光表示発光素子２１２による表示は、前述したコントローラ３００の表示、つまり表示灯１６(1)、１６(2)（図４）の表示と連動してもよい。また、この連動する／連動しないの切り替えをコントローラへの入力により行うことができるようにしてもよい。また、コントローラ３００からの出力線を介して、外部のPLCを介して、又は、PLCを介さずに、パトランプ（警告灯）に接続される、この警告灯でセンサの出力状態と連動してもよい。
【００４７】
光表示発光素子２１２による表示は、コントローラ３００内部の異常が発生したときに行ってもよい。例えば、投光部１０２の発光素子１０４に異常が発生したときに光表示発光素子２１２を点灯させて、コントローラ３００の内部に異常が発生したことを知らせるようにしてもよい。
【００４８】
コントローラ３００のハード構成（図６〜図９）：
図６を参照して、コントローラ３００は素子ホルダ３６８を有し、この素子ホルダ３６８には、投光部材３７０と、受光部材３７２とが収容されている。投光部材３７０は前述した投光部１０２を実質的に構成する。受光部材３７２は前述した受光部２０２を実質的に構成する。素子ホルダ３６８は、投光ヘッド１００との間の光伝搬部材である光ファイバFbを受け入れる第１挿入穴３７６と、受光ヘッド２００との間の光伝搬部材である光ファイバFbを受け入れる第２挿入穴３７８とを有している。第１挿入穴３７６は、投光用の光ファイバを接続する投光用接続部を構成する。また、第２挿入穴３７８は、受光用の光ファイバを接続する受光用接続部を構成する。第１、第２挿入穴３７６、３７８の中に光ファイバFbの先端部が深く嵌入される。
【００４９】
図６と、コントローラ３００の縦断面図である図７とを参照して、投光部材３７０は、発光素子１０４としてLED、モニタＰＤ等のモニタ用受光素子１１０、リフレクタ３８０を含む。モニタ用受光素子１１０は、発光素子１０４の発光量を検出する。そして、検出した発光量が所定値となるように発光素子１０４のフィードバック制御が行われる。
【００５０】
受光部材３７２は、フォトダイオードＰＤで構成される受光素子２０４、光表示発光素子としてのLED２１２を含み、表示発光LED２１２は受光素子２０４の上に配置されている。すなわち、受光素子２０４は、その主なる受光面、つまり第２挿入穴３７８（受光用光ファイバFｂ）と対面する受光面を有し、表示発行LED２１２は、この受光素子２０４の主なる受光面の上に配置されている。図７において、参照符号３８２は投光用実装基板を示し、参照符号３８４は受光用実装基板を示す。
【００５１】
図７の参照符号３８６は、第１適用例に含まれる投光部材３７０Ａ（図６）が設置される投光側空間を示し、参照符号３８８は受光部材３７２（図６）が設置される受光側空間を示す。投光側空間３８６と受光側空間３８８とは光学的に隔絶されている。投光側空間３８６と第１挿入穴３７６（投光側の光ファイバFbを受け入れる穴）との相対位置を説明するための図８を参照して、発光素子１０４は、その中心が第１挿入穴３７６の軸線と一致するように位置決めされる。受光側空間３８８と第２挿入穴３７８（受光側光ファイバFbを受け入れる穴）との相対位置を説明するための図９を参照して、受光素子２０４は、その中心が第２挿入穴３７８の軸線と一致するように位置決めされる。
【００５２】
図６、図７を参照して、受光素子２０４は受光用実装基板３８４に実装されている。そして、受光素子２０４の上に光表示発光素子２１２が配置され、受光素子２０４及び光表示発光素子２１２は、受光用光ファイバFbの挿入端と実質的に同軸となるように位置決めされる。したがって、受光側光ファイバFbの挿入端に対して、受光素子２０４は光表示発光素子２１２に比べて遠い位置に配置されている。換言すれば、受光側光ファイバFbの挿入端に対して、光表示発光素子２１２は受光素子２０４に比べて接近した位置に配置されている。そして、受光側光ファイバFbを受け入れる第２挿入穴３７８と受光側空間３８８との間には、透光部材であるガラス板３７４が介装されている。受光用光ファイバFbは、その挿入端がガラス板３７４と当接する位置が正規の挿入組付位置である。
【００５３】
図１０は、第２適用例に含まれる受光部材３７２Ｂ及び投光部材３７０Ｂを説明するための図である。図１０に図示の受光部材３７２Ｂは、図６に図示の受光部材３７２Ａの変形例でもある。
【００５４】
受光部材３７２Ｂは、フォトダイオードベアチップで構成された受光素子２０４を含み、また、発光源としてLEDベアチップで構成された光表示発光素子２１２を含んでいる。そして、フォトダイオードベアチップは受光用実装基板３８４に実装されている。
【００５５】
すなわち、受光用実装基板３８４を位置決めすることにより、受光素子２０４を構成するフォトダイオードベアチップが受光用光ファイバFbの挿入端の軸線上にセンタリングされた状態で位置決めされる。受光素子２０４は受光用実装基板３８４に搭載されている。勿論、受光面２０４aは受光用光ファイバFbに対面した状態で位置決めされている。そして、受光用光ファイバFbに差し向けられている受光面２０４aの上に光表示発光素子２１２が搭載されている。更に、光表示発光素子２１２と受光素子２０４は共通の断面台形の透明のモールド樹脂Rで包囲されている。すなわち、受光用実装基板３８４側にフォトダイオードベアチップ（受光素子２０４）が配設され、受光用光ファイバFbの挿入端側にLEDベアチップ（光表示発光素子２１２）が配設され、これらは共通の透明のモールド樹脂Rで包囲されている。モールド樹脂Rの外面に金属蒸着する等、光を反射する材料でモールド樹脂Rを包囲するのがよい。受光用光ファイバFbの挿入端はモールド樹脂Rに当接した状態で第２挿入穴３７８に固定される。第２挿入穴３７８に挿入される受光用光ファイバFbは、その挿入端がモールド樹脂Ｒと当接する位置が正規の挿入組付位置である。
【００５６】
図１０から分かるように、受光素子２０４のフォトダイオードベアチップの受光面２０４aは、光表示発光素子２１２のLEDベアチップよりも大きい。
【００５７】
受光素子２０４の上に搭載された光表示発光素子２１２は透明のモールド樹脂Rによって受光用光ファイバFbの挿入端から離間した状態に位置決めされる。図１０において、矢印は受光用光ファイバFbから受光部材３７２Ｂの中に入る検出光を示す。この検出光は、受光用光ファイバFbの挿入端から末広がりの状態で受光部材３７２Ｂの中に入る。受光エリアをドットで図示してある。この検出光は、受光素子２０４の受光面２０４aのうち光表示発光素子２１２が占める部分を除く部分で受光されることになる。すなわち、受光素子２０４の受光面２０４aの面積に比べて光表示発光素子２１２が占める面積は相当に小さく、受光面２０４aの中心部分に光表示発光素子２１２が位置決めされている。受光素子２０４は、その中心部分の外周部分で受光することができる。
【００５８】
受光素子２０４の上に載置された状態の光表示発光素子２１２は、光ファイバFbの挿入端に近づいた状態で位置決めされることになる。したがって、光表示発光素子２１２の光量が比較的少なくても、光ファイバFbに入る光量が多いため、光ファイバFbの先端つまり受光ヘッド２００で強く光らせることができる。換言すれば、受光ヘッド２００で光らせる程度が同じであれば、光表示発光素子２１２を光ファイバFbの挿入端に近づければ近づけるほど、光表示発光素子２１２が発する光量は少なくてよい。
【００５９】
コントローラ３００は、投光部材３７０Ｂとして、発光素子１０４としてのLEDと、モニタＰＤ等のモニタ用受光素子１１０とに加えて、発光源としての光表示発光素子１２０を含んでいてもよい。これらはコントローラ３００の中で横並びに位置決めされている投光用実装基板３８２に実装されている。モニタ用受光素子１１０は、前述したように、発光素子１０４の発光量を検出する。そして、検出した発光量は、これが所定値となるように発光素子１０４をフィードバック制御するのに用いられる。
【００６０】
図１０から良く分かるように、モニタ用受光素子１１０は、受光部材３７２Ｂから最も又は極力遠ざかる位置に配置されている。すなわち、モニタ用受光素子１１０は、受光部材３７２Ｂとは反対側に配置されている。
【００６１】
この光表示発光素子１２０は典型的にはLEDで構成され、このLEDは、発光素子１０４のLEDと同じ色のLEDであってもよいが、異なる色のLEDであるのがよい。具体的には、発光素子１０４のLEDが赤であれば、光表示発光素子１２０のLEDは緑であるのがよい。
【００６２】
投光部材３７０Ｂに含まれる光表示発光素子１２０の色は、受光部材３７２Ｂに含まれる光表示発光素子２１２の色と同じであってもよいし、異なっていてもよい。異なる色を採用することにより、投光ヘッド１００と受光ヘッド２００の区別が容易になる。
【００６３】
発光素子１０４のLEDはベアチップで構成され、光表示発光素子１２０のLEDもベアチップで構成されている。投光用光ファイバFbの挿入端に対して、発光素子１０４を構成するLEDベアチップと、光表示発光素子１２０を構成するLEDベアチップとは互いに横並びの状態で位置決めされている。そして、発光素子１０４と光表示発光素子１２０とは、共通の断面台形の透明のモールド樹脂Rで包囲されている。投光用光ファイバFbの挿入端はモールド樹脂Rに当接した状態で第１挿入穴３７６に固定される。すなわち、投光用光ファイバFbは、その挿入端がモールド樹脂Ｒと当接する位置が正規の挿入組付位置である。
【００６４】
図１１は、第３適用例に含まれる受光部材３７２Ｃを説明するための図である。図１１に図示の受光部材３７２Ｃは、図１０に図示の受光部材３７２Ｂの変形例でもある。図１１に図示の受光部材３７２Ｃは３層構造となっている。すなわち、受光部材３７２はフォトダイオードベアチップで構成された受光素子２０４を有し、この受光素子２０４は受光用実装基板３８４に実装されている。そして、この受光素子２０４と、その上方に位置するLEDベアチップで構成された光表示発光素子２１２との間に、波長選択性の光吸収能力を有するフィルタ部材３９０が搭載されている。フィルタ部材３９０は、受光素子２０４の受光面２０４aと同じ面積を有していても良いし、光表示発光素子２１２が当接する部位及びその周辺に限定した大きさを有していてもよい。また、フィルタ部材３９０は、受光面２０４aよりも大きな面積を有していてもよい。フィルタ部材３９０はフィルム塗膜に比べて厚みを有し、例えば赤色ガラスなどの色ガラスや、カラーコーティングした透明部材で構成される。このフィルタ部材３９０によって、光表示発光素子２１２が発する光が受光素子２０４に対して悪影響を及ぼす程度を低減することができる。すなわち、色ガラスや、カラーコーティングした透明部材などのフィルタ部材３９０は、光表示発光素子２１２が発する可視光（表示光）が受光素子２０４に入光する、その光の量を低減する手段を構成している。
【００６５】
受光素子２０４、フィルタ部材３９０、光表示発光素子２１２は共通の断面台形の透明のモールド樹脂Rで包囲されている。モールド樹脂Ｒの形状は、図１３などを参照して説明する砲弾型であってもよい。受光用光ファイバFbの挿入端はモールド樹脂Rに当接した状態で第２挿入穴３７８に固定される。すなわち、受光用光ファイバFbは、その挿入端がモールド樹脂Ｒと当接する位置が正規の挿入組付位置である。
【００６６】
図１１に図示の受光部材３７２Ｃの変形例として、共通のモールド樹脂Ｒの代わりに、図６を参照して説明したように、受光側光ファイバFbを受け入れる第２挿入穴３７８と受光側空間３８８との間に、透光部材であるガラス板３７４を介装してもよい。
【００６７】
図１２は、第４適用例に含まれる受光部材３７２Ｄを説明するための図である。この第４適用例に含まれる受光部材３７２Ｄは、上述した図１１の受光部材３７２Ｃの変形例でもある。受光部材３７２Ｄは、厚さを有する上記のフィルタ部材３９０に代えて、波長選択性の光吸収能力又は光反射能力を有するフィルム又はカラーコーティングなどの薄膜３９２を有する。この薄膜３９２は、受光素子２０４の受光面２０４aの全域に配置してもよいし、光表示発光素子２１２が当接する部位及びその周辺に限定して配置してもよい。
【００６８】
図１２に図示の受光部材３７２Ｄの変形例として、共通のモールド樹脂Ｒの代わりに、図６を参照して説明したように、受光側光ファイバFbを受け入れる第２挿入穴３７８と受光側空間３８８との間に、透光部材であるガラス板３７４を介装してもよいのは、上記の図１１に図示の受光部材３７２Ｃと同じである。
【００６９】
図１３は、第５適用例に含まれる受光部材３７２Ｅを説明するための図である。図１３に図示の受光部材３７２Ｅは、受光用実装基板３８４に実装されLEDチップからなる光表示発光素子２１２を有し、また、リードフレーム２３０によって光表示発光素子２１２の上方に間隔を隔てて位置決めされた受光素子２０４を有し、受光素子２０４はフォトダイオードベアチップで構成されている。受光素子２０４及び光表示発光素子２１２は、受光用光ファイバFbの挿入端と実質的に同軸となるように位置決めされる。図中、参照符号２３２はワイヤを示す。リードフレーム２３０及び受光素子２０４は砲弾型の成形された透明のモールド樹脂Rで包囲されている。受光用光ファイバFbの挿入端は、砲弾型のモールド樹脂Rに当接した状態で第２挿入穴３７８に固定される。すなわち、受光用光ファイバFbは、その挿入端が砲弾型のモールド樹脂Ｒと当接する位置が正規の挿入組付位置である。
【００７０】
砲弾型のモールド樹脂Rの底面に上記LEDチップからなる光表示発光素子２１２を接着剤で接着するのがよい。もちろん、接着剤は光透過性の材料で構成するのがよい。
【００７１】
光表示発光素子２１２が発する光は、砲弾型のモールド樹脂Rの中を通って受光用光ファイバFbの中に誘導される。
【００７２】
図１３に図示の受光部材３７２Ｅによれば、受光用光ファイバFbの挿入端に対して、受光素子２０４は光表示発光素子２１２に比べて接近した状態に配置することができるだけでなく、受光素子２０４を受光用光ファイバFbの挿入端に極力近づけた位置に配置することができるため、受光素子２０４の高い受光性能を確保することができる。
【００７３】
受光素子２０４の下面や側面に塗布するなどして遮光材料や反射材料を配置してもよい。また、砲弾型のモールド樹脂Rの外面に金属蒸着する等、光を反射する材料でモールド樹脂Rを包囲するのがよい。
【００７４】
図１４は、第６適用例に含まれる受光部材３７２Ｆを説明するための図である。この図１４に図示の受光部材３７２Ｆは、上記図１３に図示の受光部材３７２Ｅの変形例でもある。図１３に図示の受光部材３７２Ｅでは、LEDチップからなる光表示発光素子２１２を受光用実装基板３８４に実装したが、図１４に図示の受光部材３７２Ｆでは、光表示発光素子２１２と実装基板３８４との間に放熱板３９４が介装されている。また、LEDチップからなる光表示発光素子２１２を樹脂モールドＲで包囲してもよい。
【００７５】
図１５は、第７適用例に含まれる受光部材３７２Ｇを説明するための図である。この図１５に図示の受光部材３７２Ｇは、上記図１３に図示の受光部材３７２Ｅの変形例又は図１４に図示の受光部材３７２Ｆの変形例でもある。図１３、図１４に図示の受光部材３７２Ｅ、３７２Ｆは、光表示発光素子２１２の上方に位置決めされた受光素子２０４を砲弾型の樹脂モールドＲで包囲する構成が採用されているが、図１５に図示の受光部材３７２Ｇは、光表示発光素子２１２の上方に外乱光除去フィルタ３６４が配置され、この外乱光除去フィルタ３６４は光表示発光素子２１２と共通の樹脂モールドＲによって包囲されている。図１５に図示の受光部材３７２Ｇは、図１４の受光部材３７２Ｆの変形例として描かれているが、図１３に図示の受光部材３７２Ｅに外乱光除去フィルタ３６４を加える構成を有していてもよい。
【００７６】
受光用光ファイバFbの挿入端と受光素子２０４と間に外乱光除去フィルタ３６４が介在しているため、受光素子２０４に対する外乱光の影響を抑えることができる。
【００７７】
図１６は、第８適用例に含まれる受光部材３７２Ｈを説明するための図である。この図１６に図示の受光部材３７２Ｈは、受光用実装基板３８４の上方に追加の実装基板３８４aを有し、この追加の実装基板３８４aの一方側の面つまり受光用実装基板３８４と対面する側の面にLEDベアチップからなる光表示発光素子２１２が実装されている。
【００７８】
追加の実装基板３８４aの他方側の面つまり受光用光ファイバFbの挿入端と対面する側の面にはフォトダイオードベアチップが実装されている。このフォトダイオードベアチップは受光素子２０４を構成する。追加の実装基板３８４aに実装されたＬＥＤベアチップ２１２及びフォトダイオードベアチップ２０４は共にモールド樹脂Ｒで包囲されているのが好ましい。変形例として、追加の実装基板３８４aのフォトダイオードベアチップ２０４を砲弾型のモールド樹脂Ｒで包囲してもよい。
【００７９】
受光側光ファイバFbを受け入れる第２挿入穴３７８と受光側空間３８８との間には、透光部材であるガラス板３７４が介装されている。受光用光ファイバFbは、その挿入端がガラス板３７４と当接する位置が正規の挿入組付位置である。
【００８０】
図１７は、第９適用例に含まれる受光部材３７２Ｉを説明するための図である。図１７の受光部材３７２Ｉは、フォトダイオードベアチップで構成された受光素子２０４と、ＬＥＤベアチップならなる光表示発光素子２１２とが横並びに位置決めされた状態で受光用実装基板３８４に実装されている。そして、受光素子２０４は、その中心が第２挿入穴３７８の軸線と一致するように位置決めされている。
【００８１】
受光側光ファイバFbを受け入れる第２挿入穴３７８と受光側空間３８８との間には、透光部材であるガラス板３７４が介装されている。受光用光ファイバFbは、その挿入端がガラス板３７４と当接する位置が正規の挿入組付位置である。光表示発光素子２１２の光は、受光素子２０４と共通のガラス板（透光部材）３７４を通じて受光用光ファイバFbに受け入れられる。
【００８２】
図１８は、第１０適用例に含まれる受光部材３７２Ｊを説明するための図である。この図１８の受光部材３７２Ｊは、図１７の受光部材３７２Ｉの変形例でもある。図１７の受光部材３７２Ｉでは、受光素子２０４がフォトダイオードベアチップで構成され、また、光表示発光素子２１２がＬＥＤベアチップで構成されているが、図１８の受光部材３７２Ｊにあっては、モールド樹脂Ｒで包囲されたフォトダイオードベアチップで受光素子２０４が構成され、また、モールド樹脂Ｒで包囲されたＬＥＤベアチップで光表示発光素子２１２が構成されている。勿論、フォトダイオードベアチップ又はＬＥＤベアチップの少なくともいずれか一方がモールド樹脂Ｒで包囲されていてもよい。
【００８３】
図１９は、第１１適用例に含まれる受光部材３７２Kを説明するための図である。この図１９の受光部材３７２Kは、図１８の受光部材３７２Jの変形例でもある。上述した図１８の受光部材３７２Jでは、フォトダイオードベアチップからなる受光素子２０４が受光用実装基板３８４に実装されているが、図１９の受光部材３７２Kでは、リードフレーム２３０によってフォトダイオードベアチップが実装基板３８４から上方に離間して位置決めされている。これにより、受光素子２０４を受光側光ファイバFbに接近した状態で配置することができる。
【００８４】
図２０は、第１２適用例に含まれる受光部材３７２Ｌを説明するための図である。この図２０の受光部材３７２Ｌは、図１９の受光部材３７２Ｋの変形例でもある。図１９の受光部材３７２Ｋでは、受光側光ファイバFbを受け入れる第２挿入穴３７８と受光側空間３８８との間にガラス板３７４が介装されているが、この図２０の受光部材３７２Ｌでは、リードフレーム２３０を備えたフォトダイオードベアチップが砲弾型のモールド樹脂Ｒで包囲されている。ここに、受光用光ファイバFbは、その挿入端が砲弾型のモールド樹脂Ｒと当接する位置が正規の挿入組付位置である。
【００８５】
図２１は、第１３適用例に含まれる受光部材３７２Mを説明するための図である。この図２１の受光部材３７２Mは、受光用実装基板３８４の上方に離間して位置する追加の実装基板３８４aを有する。この追加の実装基板３８４aは台座３９６によって支持されている。そして、この追加の実装基板３８４aにフォトダイオードベアチップが実装されている。このフォトダイオードベアチップは受光素子２０４を構成している。受光素子２０４は、その中心が第２挿入穴３７８つまり受光用光ファイバFbの挿入端の軸線と一致するように位置決めされる。
【００８６】
フォトダイオードベアチップを実装した追加の実装基板３８４aの周囲において、受光用実装基板３８４には、光表示発光素子２１２を構成するＬＥＤベアチップ２１２が実装されている。この光表示発光素子２１２は、単数であってもよいが、複数であってもよい。図２２は、図２１に対応した平面図である。図２２において、４つの光表示発光素子２１２が、発光素子２０４の周囲に等間隔且つ第２挿入穴３７８の軸線から等間隔に配置されている。
【００８７】
この４つの光表示発光素子２１２は、全て同じ色のLEDで構成してもよいし、異なる色のLEDで構成してもよい。異なる色のLEDで構成することにより、電源を供給するLEDの組み合わせを変えることにより、混色した様々な色の光を受光用光ファイバFbに供給することができ、様々な色を使って異なる情報を表示することができる。
【００８８】
上述した複数の実施例に含まれる受光部材は、受光素子２０４だけでなく、光表示発光素子２１２を含む。このことに伴って、受光素子２０４は、これが対の投光ヘッド１００から届いた検出光であるか、光表示発光素子２１２の表示光（可視光）であるかを区別できない。投光ヘッド１００の検出光と光表示発光素子２１２の表示光（可視光）とを区別可能にする又は光表示発光素子２１２の表示光が受光素子２０４に入光する、その光の量を低減する手法を講じるのが好ましい。
【００８９】
具体的には、波長を異ならせる、発光タイミングを異ならせる、発光周波数を異ならせる等の手段を講じることにより、光の波長的に、発光タイミング的に、発光周波数的に分離もしくは光の波長的な分離と他のどちらを組み合わせて実施するのがよい。波長を異ならせる手段は、図１１、図１２を参照して説明したとおり、物理的なフィルタを設けるのがよい。
【００９０】
図２３は、発光タイミングを異ならせる例を説明するための図である。発光素子１０４の隣接する２つの検出用発光パルスの間に光表示発光素子２１２を発光させる。図２３には、この光表示発光素子２１２を発光させるための発光パルスにハッチングを付して識別してある。
【００９１】
受光素子１１０の検出タイミングをＴ1、Ｔ2、Ｔ3と付すと、この検出タイミングＴ1、Ｔ2、Ｔ3の中間で光表示発光素子２１２が光るため、受光素子１１０は正規に検出用発光パルスを受け取ることができる。
【００９２】
図２４は発光周波数的に分離する方法を例示的に説明するための図である。発光素子１０４の検出用発光パルスは所定のタイミングでＯＮ／ＯＦＦを繰り返す。これに光表示発光素子２１２の光が重畳しても検出用発光パルスの波形が維持された状態で受光素子１１０が光を受け取る。このことから受光素子１１０の出力波形を周波数フィルタ（ハイパス）でフィルタリングすることにより、発光素子１０４が発する検出光だけを取り出すことができる。
【００９３】
図２４を参照したフィルタリングでは光表示発光素子２１２の発光波形の周波数を下げることにより、検出と表示で使用する周波数領域を区分したが、図２４の例とは逆に、光表示発光素子２１２の発光波形の周波数を挙げて周波数領域を区分するようにしてもよい。
【００９４】
コントローラ３００を含む分離型光電センサ１はチューニング機能を有している。チューニングは次の幾つかの態様がある。
（１）チューニング機能：
(1-1)２点チューニング：検出対象物が存在するときに１回セットボタン１０（図４）を押し下げ、検出対象物が無いときに１回セットボタン１０を押し下げることにより設定することができる。例えばディスプレイＤ１に「SET」が点滅表示され、そして設定値が点滅される。この設定値はアップダウンボタン６によって調整することができる。
【００９５】
(1-2)フルオートチューニング：高速で移動する検出対象物を使ってチューニングするときに設定される。
検出対象物を通過させながら、セットボタン１０を押し続ける。例えばディスプレイＤ１に「SET」が点滅表示される。検出対象物が完全に通過したら、セットボタン１０から指を離すと、設定値が点滅し、この点滅が終わって点灯状態になったら設定完了である。
【００９６】
(1-3)最大感度チューニング：汚れ易い環境でも誤作動し難い設定を行うことができる。
セットボタン１０を３秒以上長押しすると例えばディスプレイＤ１に「SET」が点滅表示され、そして設定値が点滅される。この設定値はアップダウンボタン６によって調整することができる。点滅が終了したら設定完了である。
【００９７】
(1-4)位置決めチューニング：位置決めに適した設定を行うことができる。検出対象物が無い状態でセットボタン１０を一回押す。位置決めしたい位置に検出対象物を置いてセットボタン１０を３秒以上長押しすると、ディスプレイＤ１に「SET」が点滅表示され、そして設定値が点滅される。この設定値はアップダウンボタン６によって調整することができる。
【００９８】
上記(1-1)ないし(1-4)などの態様を含むチューニングにおいて、ディスプレイＤ１の表示と共に、投光ヘッド１００及び／又は受光ヘッド２００を表示光で光らせるのが良い。図２５は、その一例を説明するためのフローチャートである。図２５に示す表示例では、光電センサ１の動作中、検出対象物を検出する毎に、つまりＯＮ／ＯＦＦ毎に、これに同期して投光ヘッド１００及び／又は受光ヘッド２００の表示光が点灯又は点滅される。これを「通常表示」と呼ぶ。図２５を参照して、光電センサ１は、検出動作中、「通常表示」が実行される（Ｓ１０）。そして、コントローラ３００のセットボタン１０の操作、つまり外部からの指示に基づいてチューニングが開始されると、ステップＳ１１からステップＳ１２に進んで、例えば受光ヘッド２００の表示光が１０Ｈｚの周期で点滅される（第１表示光モード）。これを見ることにより、光電センサ１はチューニングモードに入っていることを確認できる。そして、チューニングが完了すると（Ｓ１３）、例えば受光ヘッド２００の表示光の点滅が１０Ｈｚから２Ｈｚに変更され（Ｓ１４：第２表示光モード）、この点滅が１秒間実行される（Ｓ１５）。ユーザは、ディスプレイＤ１の表示を確認してもよいが、このディスプレイＤ１の表示を見ること無しに、投光ヘッド１００及び／又は受光ヘッド２００を表示光の点滅周期の変化を見ることで、チューニングが完了し、そして、光電センサ１は通常の動作に入っていることを確認できる。
【００９９】
第１表示光モードから第２の表示光モードへは、上記の例では点滅周期を変更させたが、(a)表示光の色の変更、(b)点滅の回数の変更、(c)表示の強弱の周期の変更であってもよい。
【０１００】
光電センサ１は他にプリセット機能、ゼロシフト機能を有している。
（２）プリセット機能：感度設定及び表示受光量の「100.0」や「.0」を補正できる。この機能を使うことで、任意の２点を表示受光量「100.0」「.0」に補正できる。プリセットボタン１２と例えばアップダウンボタン６のダウン(DOWN)側を押すと、その時点の受光量が「.0」に設定される。
【０１０１】
（1-1）最大感度プリセット：反射型で背景を基準に検出したい場合に効果的な機能である。反射型であれば検出対象物無しの状態で、透過型であれば、検出対象物有りの状態で、プリセットボタン１２を３秒以上長押しする。例えばディスプレイＤ１に「ＡＵＴＯ」が点滅し、この点滅が終了して点灯状態になったら設定完了である。設置値は「50.0」に設定される。
【０１０２】
（1-2）フルオートプリセット：検出対象物の有り／無しを自動で判別し、現在値を「100.0」と「.0」に補正することができる。検出対象物を通過させながら、プリセットボタン１２を押し続けると「ＡＵＴＯ」が点滅する。検出対象物が完全に通過したらプリセットボタン１２から指を離すと、設定値が点滅し、この点滅が終了（点灯状態）したら設置完了である。設置値は「50.0」に設定される。
【０１０３】
（３）ゼロシフト機能：現在の受光量の表示を「０」にする機能である。検出対象物が無いときに背景などの影響で受光量が「０」にならない場合に、このゼロシフトの機能を使って受光量の表示を「０」にすることで、受光量を差が分かり易くなる。プリセットボタン１２とアップダウンボタン６のダウン(DOWN)側とを同時に押すと、その時点の受光量の表示が「０」になる。
【０１０４】
図６などを参照して説明した適用例、例えば、図１０の第２適用例では、受光部材３７２Ｂは、受光素子２０４と光表示発光素子２１２を含み、また、投光部材３７０Ｂは、検出光を発する発光素子１０４と光表示発光素子１２０を含んでいる。ディスプレイＤ１及び／又は表示灯１６の表示と共に、受光部材３７２Ｂの光表示発光素子２１２が発光することにより、その表示光は受光用光ファイバFbを通じて受光ヘッド２００を光らせることができる。他方、ディスプレイＤ１及び／又は表示灯１６の表示の表示と共に、投光部材３７０Ｂの光表示発光素子１２０が発光することにより、その表示光は投光用光ファイバFbを通じて投光ヘッド２００を光らせることができる。
【０１０５】
ディスプレイＤ１の表示及び／又は表示灯１６の表示と共に、投光ヘッド１００及び／又は受光ヘッド２００を光らせることによって、コントローラ３００の各種の表示機能の一部を投光ヘッド１００及び／又は受光ヘッド２００に重複的に担わせることができる。これにより、作業者は、手元にある投光ヘッド１００及び／又は受光ヘッド２００から目を離してコントローラ３００を確認する必要が無くなる。具体的に且つ例示的に説明すると、次の通りである。
【０１０６】
（２）のプリセット機能に関連して投光ヘッド１００及び／又は受光ヘッド２００の表示光を使う。プリセットの例えば開始をトリガーとして投光ヘッド１００及び／又は受光ヘッド２００の表示光を点灯又は点滅させる。プリセットの完了をトリガーとして投光ヘッド１００及び／又は受光ヘッド２００の表示光を消灯させる。
【０１０７】
（３）のゼロシフト機能に関連して投光ヘッド１００及び／又は受光ヘッド２００の表示光を使う。ゼロシフトの例えば開始をトリガーとして投光ヘッド１００及び／又は受光ヘッド２００の表示光を点灯又は点滅させる。ゼロシフトの完了をトリガーとして投光ヘッド１００及び／又は受光ヘッド２００の表示光を消灯させる。
【０１０８】
上記（１）ないし（３）は例示に過ぎない。適用する光電センサの機能に関連し、現在使用中の機能を目視で表示するのが好ましい機能を使っているときに、投光ヘッド１００及び／又は受光ヘッド２００の表示光を点灯又は点滅させるのがよい。勿論、チューニング、プリセット、ゼロシフトであることの違いを識別するために、点滅サイクルを異ならせる、点灯する色を異ならせる、色と点滅サイクルの組み合わせを異ならせてもよい。
【０１０９】
すなわち、投光ヘッド１００及び／又は受光ヘッド２００の表示光による識別は、(a)表示光の色、(b)点滅の回数、(c)点滅周期、(d)表示の強弱の周期、(e)複数の表示色の切り替え周期などによって行うことができる。
【０１１０】
投光ヘッド１００及び／又は受光ヘッド２００を光らせることは、例えば特定のコントローラ３００に関連した投光ヘッド１００と受光ヘッド２００の対を特定するのに用いることができる。これを「ペアリング」と呼ぶと、「ペアリング」は次の２つの態様を含む。第１は、投光ヘッド１００、受光ヘッド２００とコントローラ３００との対。第２は、投光ヘッド１００と受光ヘッド２００との対。複数の投光ヘッド１００、複数の受光ヘッド２００、複数のコントローラ３００が錯綜している場合に、例えば、手にした投光ヘッド１００がどのコントローラ３００に連結されているのかを、投光ヘッド１００及び／又は受光ヘッド２００の表示光を使うことで容易に特定することができる。
【０１１１】
受光量の量に応じて、これに対応した点灯又は点滅状態で光表示発光素子を光らせるというように、複数の投光ヘッド１００及び／又は受光ヘッド２００の表示光の光らせ方、つまり上記(a)ないし(e)を異ならせることにより、上記のペアリングの特定を容易にすることができる。
【０１１２】
上記「ペアリング」において、投光ヘッド１００及び／又は受光ヘッド２００を表示光で光らせる制御の一例を図２６のフローチャートを参照して説明する。図２６に図示のステップＳ２０の「通常表示」は、前述した図２５のステップＳ１０の「通常表示」に対応している。コントローラ３００のボタン操作に含まれる、コントローラとヘッドとの間のペアリングを実行させるための操作が行われると（Ｓ２１）、この外部からの指示に基づいて受光ヘッド２００の表示光が１０Ｈｚの周期で点滅される（Ｓ２２）。この点滅表示を見ることで、当該コントローラ３００に関連する受光ヘッド２００を特定することができる。次に、コントローラとヘッドとの間のペアリングを完了させるための操作が行われると（Ｓ２３）、「通常表示」に戻る（Ｓ２０）。この「通常表示」に戻るのとは別に、投光ヘッド１００と受光ヘッド２００との間のペアリングを実行させるための操作が行われ（Ｓ２４）、そして、手にしている投光ヘッド１００と、また、手にしている受光ヘッド２００とを対面させたときに、これが対をなす投光ヘッド１００、受光ヘッド２００であるときには、投光ヘッド１００及び受光ヘッド２００の双方の表示光が１０Ｈｚの周期で点滅される（Ｓ２２）。この投光ヘッド１００及び受光ヘッド２００の双方の点滅表示を見ることで、これらが対のヘッド１００、２００であることを確認できる。
【０１１３】
ペアリングに関連して例えば検出光を使う場合、ステップＳ１０及びＳ２４のペアリング開始のための操作、つまり外部からの指示から所定時間が経過したら、検出動作に自動的に戻るようにしてもよい。また、ステップＳ１０及びＳ２４のペアリング開始のための操作を行ったときにコントローラ３００のディスプレイＤ１又はＤ２に、「検出動作を中止してもよいか？」を問いかける表示を行うのが好ましい。また、ステップＳ１０及びＳ２４のペアリング開始のための操作を行ったときにコントローラ３００のディスプレイＤ１又はＤ２に、「この操作の後に所定時間後に自動的に検出動作を復帰してもよいか？」を問いかける表示を行うのが好ましい。また、復帰するまで時間を表示し、この時間を設定変更できるようにしてもよい。
【０１１４】
投光ヘッド１００及び／又は受光ヘッド２００の表示光を光軸調整のときに用いることで、図２５を参照して説明したように、コントローラ３００の表示を確認する必要無しに、投光ヘッド１００及び／又は受光ヘッド２００の表示光を光らせる、この表示によって光軸が合ったことを確認することができる。
【０１１５】
光軸が一致している程度、つまり光軸が完全に一致した、光軸がほぼ一致した、光軸が一致しているとは言えない（不安定）、という程度を、投光ヘッド１００及び／又は受光ヘッド２００の表示光の光らせ方を異ならせる、つまり上記(a)ないし(e)を異ならせることにより表示するようにしてもよい。このことは、例えばしきい値に対して受光信号の割合が200%以上（完全一致）、しきい値%以上（ほぼ一致）、しきい値付近（不安定）、それ以下、などで場合分けして、投光ヘッド１００及び／又は受光ヘッド２００の表示光の光らせ方を異ならせることにより十分光軸が合っていることをわかりやすく示しても良い。勿論、受光量の量に対応した点灯又は点滅表示を行ってもよい。
【０１１６】
コントローラ３００の状態を投光ヘッド１００及び／又は受光ヘッド２００を光らせることで表示してもよい。例えば、コントローラ３００の起動中に投光ヘッド１００及び／又は受光ヘッド２００を光らせてもよい。また、コントローラ３００の起動時に受光量の異常が発生したときに、投光ヘッド１００及び／又は受光ヘッド２００を光らせてもよい。具体的に、起動時の標準的な受光量を予め設定しておき、この設定値よりも受光量が多すぎる又は少な過ぎるときに異常を判定して、投光ヘッド１００及び／又は受光ヘッド２００を光らせてもよい。受光量が多すぎるときと、少な過ぎるときの表示の仕方を異ならせてもよい。勿論、受光量の量に応じた点灯又は点滅表示を行ってもよい。コントローラ３００の動作が正常であることを投光ヘッド１００及び／又は受光ヘッド２００を光らせることにより表示してもよい。
【０１１７】
コントローラ３００の動作に異常が発生したときに、投光ヘッド１００及び／又は受光ヘッド２００の表示光を光らせて、その旨を投光ヘッド１００及び／又は受光ヘッド２００を使って表示するようにしてもよい。異常の内容を投光ヘッド１００及び／又は受光ヘッド２００の表示光の光らせ方を異ならせる、つまり上記(a)ないし(e)を異ならせることにより表示するようにしてもよい。「異常」を例示すれば、アラーム状態、エラー状態、相互干渉の発生、コントローラ３００の発熱等を挙げることができる。
【０１１８】
コントローラ３００が２出力タイプ、つまりメインの出力とサブの出力の２つを出力するタイプの場合、２出力目と連動して、投光ヘッド１００及び／又は受光ヘッド２００の表示光を光らせるのがよい。
【０１１９】
検出に関連した表示と、コントローラ３００が備える各機能の動作に関連した表示とを識別可能に異ならせるのが好ましい。識別可能に異ならせるやり方として、(i)表示光の色、(ii)点滅の回数、(iii)点滅周期、(iv)表示の強弱の周期、(v)複数の表示色の切り替え周期を例示的に上げることができる。
【０１２０】
コントローラ３００が備える第１の機能の動作と第２の機能の動作の各々に関連した表示を識別可能に異ならせるのが好ましい。識別可能に異ならせるやり方として、(i)表示光の色、(ii)点滅の回数、(iii)点滅周期、(iv)表示の強弱の周期、(v)複数の表示色の切り替え周期を例示的に上げることができる。
【０１２１】
また、コントローラ３００が備える各機能の設定に関連した表示においても、第１機能の設定に関連した表示と、第２機能の設定に関連した表示とを識別可能に異ならせてもよい。識別可能に異ならせるやり方として、(i)表示光の色、(ii)点滅の回数、(iii)点滅周期、(iv)表示の強弱の周期、(v)複数の表示色の切り替え周期を例示的に上げることができる。
【０１２２】
コントローラ３００が備える各機能を説明すると、コントローラ３００がワンショット、ＯＮディレイ、ＯＦＦディレイの機能を有している場合、これらの機能に連動して、投光ヘッド１００及び／又は受光ヘッド２００の表示光を光らせるのがよい。これらの各種の機能や次に説明する「ワンショット」機能などの設定は、ディスプレイＤ１、Ｄ２の表示を見ながら行われるが、この表示と共に投光ヘッド１００及び／又は受光ヘッド２００の表示光を光らせることで、ユーザの利便性を向上することができる。
【０１２３】
「ワンショット」機能とは、例えば検出対象物を検出した際、この検出対象物を検出している期間に影響されず、検出に対応して一度だけ生成されるＯＮ信号の立ち上がりから一定時間ＯＮ信号を出力する機能である。「ＯＮディレイ」機能とは、コントローラ３００がＯＮ信号を外部機器に送出するときの遅延時間を設定する機能である。「ＯＦＦディレイ」機能とは、コントローラ３００がＯＦＦ信号を外部機器に送出するときの遅延時間を設定する機能である。
【０１２４】
「ワンショット」機能を設定したときには、出力は一瞬である。出力している期間よりも長い時間、投光ヘッド１００及び／又は受光ヘッド２００の表示光を光らせるのがよい。「ＯＮディレイ」機能や「ＯＦＦディレイ」機能を設定したときには、このディレイに対応して投光ヘッド１００及び／又は受光ヘッド２００の表示光を光らせるのがよい。
【０１２５】
コントローラ３００の上蓋４（図３）を開けたとき又は閉じたときに、投光ヘッド１００及び／又は受光ヘッド２００の表示光を光らせてもよい。また、投光ヘッド１００との間の光伝搬部材である光ファイバFbをコントローラ３００の第１挿入穴３７６（図６）に深く挿入したとき、及び／又は、受光ヘッド２００との間の光伝搬部材である光ファイバFbをコントローラ３００の第２挿入穴３７８（図６）に深く挿入したとき、つまり、投光用及び受光用の光ファイバFbの正規のセットが完了したたら、投光ヘッド１００及び／又は受光ヘッド２００の表示光を光らせるのがよい。これにより、投光用及び受光用の光ファイバFbの組み付け作業が正規に完了したことを確認できる。
【０１２６】
投光ヘッド１００及び受光ヘッド２００並びに投光用及び受光用の光ファイバFbに異常が発生したときに、投光ヘッド１００又は受光ヘッド２００の表示光を光らせるのがよい。投光ヘッド１００又は受光ヘッド２００に汚れが発生したときに、投光ヘッド１００又は受光ヘッド２００の表示光を光らせるのがよい。
【０１２７】
光電センサ間の通信、光電センサとＰＬＣとの間の通信にエラーが発生したときに投光ヘッド１００又は受光ヘッド２００の表示光を光らせるのがよい。
【０１２８】
複数の投光ヘッド１００及び受光ヘッド２００と、複数のコントローラ３００との組み合わせによってシステムを構築する場合、第１のコントローラ３００と、これに接続された投光ヘッド１００、受光ヘッド２００と、第２のコントローラ３００と、これに接続された投光ヘッド１００、受光ヘッド２００とを区別するために、第１のコントローラ３００については例えば１secの時間間隔で投光ヘッド１００又は受光ヘッド２００の表示光を光らせ、第２のコントローラ３００については例えば２secの時間間隔で投光ヘッド１００又は受光ヘッド２００の表示光を光らせるようにしてもよい。
【０１２９】
複数のコントローラ３００において、その親機から子機に設定を書き込む際に、ヘッドが受け付け完了を知らせることができるように、投光ヘッド１００又は受光ヘッド２００の表示光を光らせるようにしてもよい。
【０１３０】
他の通信機器、IO-Link、cc-Link、オープンネットワークとコントローラ３００を仲介するユニットなどと通信する場合、この通信の成功や失敗を明らかにするために投光ヘッド１００又は受光ヘッド２００の表示光を光らせるようにしてもよい。勿論、他の通信機器や他のコントローラ３００の表示部に所定の表示内容を表示しながら投光ヘッド１００又は受光ヘッド２００の表示光を光らせるのがよい。
【符号の説明】
【０１３１】
Fb    光ファイバ（光伝搬部材）
１  光電センサ
１６(1)  第１チャンネルの動作表示灯
１６(2)  第２チャンネルの動作表示灯
１００  投光ヘッド
１０２  投光部
１０４  発光素子
１２０  投光部材に含まれる光表示発光素子
１２２  受光部材に含まれる光表示発光素子
２００  受光ヘッド
２０２  受光部
２０４  受光素子
３００  コントローラ
３３４  コントローラの表示部
３７６  第１挿入穴（投光用接続部）
３７８  第２挿入穴（受光用接続部）
Ｄ１  第１ディスプレイ
Ｄ２  第２ディスプレイ
３７０  投光部材
【図１】
2018170158.tif 000003
【図２】
2018170158.tif 000004
【図３】
2018170158.tif 000005
【図４】
2018170158.tif 000006
【図５】
2018170158.tif 000007
【図６】
2018170158.tif 000008
【図７】
2018170158.tif 000009
【図８】
2018170158.tif 000010
【図９】
2018170158.tif 000011
【図１０】
2018170158.tif 000012
【図１１】
2018170158.tif 000013
【図１２】
2018170158.tif 000014
【図１３】
2018170158.tif 000015
【図１４】
2018170158.tif 000016
【図１５】
2018170158.tif 000017
【図１６】
2018170158.tif 000018
【図１７】
2018170158.tif 000019
【図１８】
2018170158.tif 000020
【図１９】
2018170158.tif 000021
【図２０】
2018170158.tif 000022
【図２１】
2018170158.tif 000023
【図２２】
2018170158.tif 000024
【図２３】
2018170158.tif 000025
【図２４】
2018170158.tif 000026
【図２５】
2018170158.tif 000027
【図２６】
2018170158.tif 000028
【図２７】
2018170158.tif 000029